(57)【特許請求の範囲】
【請求項１】
左右方向に離間する１対の支柱の少なくとも前面に、パネルを取付けてなる間仕切りパネルにおいて、
前記パネルにおける左右両側部の上下両端縁のいずれか一方に、後向きに屈曲する屈曲片を設け、前記パネルの左右両端部裏面の上下部に、下向き鉤状の係止片を突設するとともに、前記支柱の前面に、前記屈曲片が上下移動可能に挿入される位置決め孔と、この位置決め孔の上端縁に近傍又は当接する位置まで前記屈曲片が挿入された状態で、前記各係止片が挿入係合可能な係合孔とを設けたことを特徴とする間仕切りパネル。
【請求項２】
パネルの左右の両端縁に、上下方向を向く凸部を後向きに突設し、この凸部を、左右の支柱に設けた凹部に挿入するようにした請求項１に記載の間仕切りパネル。
【請求項３】
屈曲片をパネルのほぼ全幅に亘って設けた請求項１または２に記載の間仕切りパネル。
【発明の詳細な説明】
【０００１】
【発明の属する技術分野】
本発明は、左右１対の支柱の前面又は前後両面に、パネルを、位置決めして容易に取付けることができるようにした間仕切りパネルに関する。
【０００２】
【従来の技術】
左右１対の支柱の前面（又は前後両面）に複数の係合孔を穿設し、各係合孔に、パネルの後面に後向きに突設した下向き鉤状の係止片を係合することにより、パネルを支柱に着脱可能に取付けた間仕切りパネルは公知である。
【０００３】
【発明が解決しようとする課題】
上記のような従来の間仕切りパネルにおいては、図６に略示するように、単に支柱ａの前面に穿設した上下１対の係合孔ｂに、パネルｃの後面の側端部に後向突設した上下の係止片ｄを挿し込んで係合させ、パネルｃを支柱ａに取付けるようにしているため、係合孔ｂと係止片ｄとを目視により確認しにくく、左右の支柱ａの４個の係合孔ｂに、パネルｃの４個の係止片ｄを整合させて同時に係合させるのは難しく、少なくとも二人の作業者によりパネルｃの左右の端部を支えて支柱ａに取付ける必要があり、取付作業が面倒であった。
【０００４】
本発明は、上記問題点を解決するためになされたもので、支柱の係合孔とパネルの係止片とを簡単に整合させ、１人でもパネルを支柱に容易に取付けることができるようにした間仕切りパネルを提供することを目的としている。
【０００５】
【課題を解決するための手段】
上記目的を達成するために、本発明の間仕切りパネルは、左右方向に離間する１対の支柱の少なくとも前面に、パネルを取付けてなる間仕切りパネルにおいて、
前記パネルにおける左右両側部の上下両端縁のいずれか一方に、後向きに屈曲する屈曲片を設け、前記パネルの左右両端部裏面の上下部に、下向き鉤状の係止片を突設するとともに、前記支柱の前面に、前記屈曲片が上下移動可能に挿入される位置決め孔と、この位置決め孔の上端縁に近傍又は当接する位置まで前記屈曲片が挿入された状態で、前記各係止片が挿入係合可能な係合孔とを設けたことを特徴としている。
上記構成の本発明によると、支柱の位置決め孔の上端縁にパネルの屈曲片を近接又は当接させることにより、パネルの係止片と支柱の係合孔とが位置決めされて整合し、パネルを支柱に容易に取付けることができる。
【０００６】
上記間仕切りパネルにおいて、パネルの左右の両端縁に、上下方向を向く凸部を後向きに突設し、この凸部を、左右の支柱に設けた凹部に挿入するようにするのが好ましい。
このようにすると、パネルの左右方向の位置決めもなされるので、パネルの取付けがより容易となる。
また、凸部により、パネルの板厚方向の曲げ強度が高まる。
【０００７】
上記間仕切りパネルにおいて、屈曲片をパネルのほぼ全幅に亘って設けるのが好ましい。
このようにすると、パネルの上部又は下部の板厚方向の曲げ強度を高めることができる。
【０００８】
【発明の実施の形態】
以下、本発明の一実施形態を図面に基づいて説明する。
【０００９】
図１は、本発明の間仕切りパネルの正面図を示すもので、１は、ほぼ角筒状をなす左右１対の支柱であり、２、２は、両支柱１の上下の端部を結合している水平の横杆である。
【００１０】
両支柱１の前後両面には、下方から順に、幅木３、上下２枚のパネル４、カバーパネル５が取付けられ、支柱１及び上部の横杆２の上端面は、トップキャップ６の止着により覆われている。
【００１１】
図２ないし図４に示すように、パネル４の左右の端部には、パネル４の側端部を角筒状に折曲することにより、パネル前面より後方（後側のパネルは前方）に突出する、位置決めと補強を兼ねた凸部、すなわち角筒部７が上下方向を向いて形成されている。なお、前後の各パネル４は、同一形状をなしているため、以下の説明は、支柱１の前面に取付けられるパネル４についてのみ説明し、後側のパネル４についての説明は省略する。
【００１２】
上記角筒部７から内向きに延出し、パネル４の後面に固着された支持片８の上下の端部には、支持片８の一部を切り起こすことにより、下向き鉤状の係止片９が一体的に連設されている。
【００１３】
左右の角筒部７の間のパネル４の上端には、後方に向かって折曲された屈曲片１０が連設されている。この屈曲片１０は、パネル４の支柱１に対する位置決めと補強作用を有している。屈曲片１０の後方への突出寸法は、係止片９の突出寸法よりも大としてある。
【００１４】
左右の支柱１の側端部における前後面には、各パネル４の角筒部７が入り込む凹部１１が、上下方向を向いて形成され、この凹部１１に左右の角筒部７を挿入すると、パネル４は左右方向に移動するのが阻止されて位置決めされる。
【００１５】
支柱１の前後両面には、各パネル４の係止片９が挿入可能な大きさの方形の係合孔１２と、同じく上端の屈曲片１０が挿入されて上下移動可能な位置決め孔１３とが穿設されている。
【００１６】
係合孔１２と位置決め孔１３との位置関係は、図５に実線で示すように、屈曲片１０の上端面を位置決め孔１３内の上端に当接又は近接させた状態で、係止片９が係合孔１２内に挿入されるようにしてある。また、位置決め孔１３の上下寸法は、想像線で示すように、係止片９が係合孔１２の下端に当接して係止された際、屈曲片１０と位置決め孔１３の下端との間に若干の隙間が形成されるように、係合孔１２よりも大としてある。
【００１７】
支柱１にパネル４を取付ける際は、まず幅木３を支柱１の下端部に取付けたのち、図１に示す下方のパネル４から順に取付ける。この際、まずパネル４の左右両端の角筒部７を、両支柱１の側端の凹部１１に挿入して、パネル４の左右方向の位置決めをする。
【００１８】
次いで、図５の実線で示すように、パネル４の上端の屈曲片１０を支柱１の位置決め孔１３内に挿入して、パネル４を上方に持ち上げ、屈曲片１０の上面を位置決め孔１３内の上端に当接させる。
【００１９】
これにより、パネル４の上下方向の位置決めがなされ、上述したように、係止片９が係合孔１２に挿入可能となる。この状態で、パネル４を矢印のように支柱１に向かって押し込んだ後、下方に押し下げれば、想像線で示すように、係止片９が係合孔１２の下端と係合し、取付けが完了する。
【００２０】
上記と同じ要領で、上方のパネル４と後側の上下のパネル４を取付けた後、支柱１の前後の面の上端部に、カバーパネル５を、その上端部の下向折曲片５ａを支柱１の上端縁に上方より引っ掛けるようにして取付ける（図３参照）。
【００２１】
このカバーパネル５を取付けた際、その下端が上側のパネル４の上端と当接することにより、上部側の位置決め孔１３がカバーパネル５の下端部により隠蔽され、外部に露呈するのが防止されるようになる。なお、下部側の位置決め孔１３は、上部側のパネル４の下端が下部側のパネル４の上端と当接することにより隠蔽される。また、トップキャップ６は、前後のカバーパネル５間に嵌合されている。
【００２２】
以上説明したように、上記実施形態の間仕切りパネルにおいては、パネル４の左右両端部に角筒部７を設け、これを支柱１の凹部１１に挿入することにより左右方向の位置決めがなされ、また、パネル４の上端に設けた屈曲片１０を、支柱１の位置決め孔１３内の上端に当接させることにより上下方向の位置決めがなされるようにしてあるため、支柱１の４個の係合孔１２に、パネル４の４個の係止片９を速やかに整合させて係合させることができ、パネル４の取付作業を１人でも容易に行うことができる。
【００２３】
また、パネル４は、角筒部７及び屈曲片１０を設けることにより板厚方向の曲げ強度を高める構造となっているため、例えば引き戸等を収納可能とする戸袋等を支柱２の前後面にパネル４、４を取り付けることにより構成する場合等にあっても、間仕切パネル全体が肉厚となることがない。
【００２４】
本発明は、上記実施形態に限定されるものではなく、種々の変形例が可能である。
【００２５】
上記実施形態では、角筒部７、係止片９、及び屈曲片１０を、パネル４を折曲して一体的に形成しているが、それらを別部材として、平板状のパネル４の後面に固着してもよい。
【００２６】
また、屈曲片１０は、パネル４の補強を考慮して、そのほぼ全幅に亘って形成してあるが、単に位置決めのみを目的とする際には、係止片９の上方のみに設けてもよい。
【００２７】
支柱１は、凹部１１を有するとともに、係合孔１２及び位置決め孔１３が形成可能な平面部を有するものであれば、上記角筒状に限定されないことは勿論である。
【００２８】
屈曲片１０を、パネル４の下端縁に設け、これが挿入可能な位置決め孔を支柱１の下部側に設けてもよい。
【００２９】
本発明は、支柱１の前面側にのみパネル４を取付けた間仕切りパネルにも適用しうるのは言うまでもない。
【００３０】
【発明の効果】
本発明によれば、次のような効果が得られる。
【００３１】
（ａ）請求項１に記載の発明によれば、パネルの屈曲片を支柱の位置決め孔の上端縁に近接又は当接するだけで、パネルの係止片と支柱の係合孔とが位置決めされて整合させることができるので、１人でもパネルを支柱に容易に取付けることができる。
【００３２】
（ｂ）請求項２に記載の発明によれば、パネルの凸部を支柱の凹部に挿入すると、パネルの左右方向の位置決めも速やかになされるので、パネルの取付けがより容易となる。
また、凸部が補強作用を有するので、パネルの板厚方向の曲げ強度が高まる。
【００３３】
（ｃ）請求項３に記載の発明によれば、パネルの上部又は下部が補強され、曲げ強度が高まる。
【図面の簡単な説明】
【図１】本発明の間仕切りパネルの正面図である。
【図２】同じく、図１のII-II線の拡大横断平面図である。
【図３】同じく、図１のIII−III線の拡大縦断側面図である。
【図４】同じく、パネルの一部の斜視図である。
【図５】同じく、パネルの支柱に対する取付要領を示す要部拡大縦断側面図である。
【図６】従来の間仕切りパネルにおける支柱に対するパネルの取付要領を示す斜視図である。
【符号の説明】
１              支柱
２              横杆
３              幅木
４              パネル
５              カバーパネル
６              トップキャップ
７              角筒部（凸部）
８              支持片
９              係止片
１０            屈曲片
１１            凹部
１２            係合孔
１３            位置決め孔
【図１】
0004295876.tif 000002
【図２】
0004295876.tif 000003
【図３】
0004295876.tif 000004
【図４】
0004295876.tif 000005
【図５】
0004295876.tif 000006
【図６】
0004295876.tif 000007